(57)【要約】【課題】客土層を含めて人工の植物育成用土壌の層厚をできるだけ薄い構造とし、これによって軽量化を図り、しかも客土が流出しにくく、施工作業の簡単な芝育成用土壌構造とすることである。【解決手段】ビルディングの屋上などの芝植生施工対象１の上に、防水・防根性のシート２を敷き、その上に透水性および保水性を有すると共に根が浸入可能な発泡樹脂製薄片の圧縮成形体からなる多孔体層３を設け、この多孔体層３上に客土層４を設けて芝５を育成する土壌構造とする。多孔体層３にも根が浸入するから、多孔体層３の厚さを含めた客土層４との合計厚さが芝の根の生育長さ以上あれば良く、客土層４の厚さを従来より薄く例えば３〜８ｃｍにして土壌構造の軽量化を図ることができる。【選択図】図２
2005143341.tif 000002
【特許請求の範囲】
【請求項１】
芝植生施工対象面に、透水性および保水性を有すると共に根が浸入可能な多孔体層を設け、この多孔体層上に客土層を設けてなる芝育成用土壌構造。
【請求項２】
多孔体層が、発泡樹脂製薄片の圧縮成形体からなる多孔体層である請求項１に記載の芝育成用土壌構造。
【請求項３】
客土層が、好気性微生物を含有する土壌である請求項１または２に記載の芝育成用土壌構造。
【請求項４】
客土層が、団粒化剤を含有する土壌である請求項１〜３のいずれかに記載の芝育成用土壌構造。
【請求項５】
多孔体層が２〜１０ｃｍの層厚であり、客土層が３〜８ｃｍの層厚であり、かつ多孔体層と客土層の合計層厚が５〜１８ｃｍである請求項１〜４のいずれかに記載の芝育成用土壌構造。
【発明の詳細な説明】
【技術分野】
【０００１】
この発明は、屋上、ベランダ、屋根その他の建物や施設の屋内外部分などに芝生の植生を行なう際に用いる芝育成用土壌構造に関する。
【背景技術】
【０００２】
近年、都市におけるヒートアイランド現象の緩和や都市環境の改善を図るために、ビルの屋上、ベランダ、壁面その他の通常は緑化されていない建物や施設の屋内外部分に、人工的に土壌を設けて植物を育成することが奨励されている。
【０００３】
建物の屋上やベランダは、設計上、通常の使用状態における耐荷重性を備えているが、これらの屋内外部分に植物を育成する場合にはできるだけ建物に負担がかからないように軽量化することが好ましく、また植物の維持管理の容易な土壌を設ける必要がある。
【０００４】
それゆえ、このような植物の育成用土壌については、まず軽量化する必要があり、そのための手段として、客土の保水性を高めて客土の厚さを薄くすることや、客土自体に軽量のものを採用すること、または水分をあまり必要とせずに根の長さの比較的短い植物（例えば苔類、セダム類など）を選んで育成すること、または土壌の底面に設置したパレットやトレーから必要量だけを効率よく潅水することなどが採用される。
【０００５】
図５に示すように、建物の屋上などの芝植生施工対象１２に芝生を設ける場合の従来の土壌構造は、まず、芝植生施工対象１２の上面に、防水・防根シート２を敷いて、その上に土中の余分な水分を排出しかつ細かい土壌粒子の流出を防止する繊維質層や比較的粗い粒状物層１３または凹凸形に成形した貯水・排水ボード（図示せず。）を重ねておき、その上に芝の根を育成するための客土層１４を設けて芝５を育成するようにしたものが一般的である。
【０００６】
また、その他にも屋上緑地などの造成方法として、発泡スチロールからなる透水性支持盤に植孔を形成し、これに苗の根部（バーミキュライト、パーライト、ピートモスなどで形成されたもの）を植え込んで排水性を高めたものも知られている（特許文献１参照。）。
【０００７】
【特許文献１】特開２００２−２２３６３０号公報（段落［００２４］参照）
【発明の開示】
【発明が解決しようとする課題】
【０００８】
ところで、上記した従来の植物育成用土壌では、排水のための透水性支持盤や貯水・排水ボードが、植物の根を育成し難いものであり、特に、芝の根を順調に生育させるために必要な客土層の厚さは、１０〜２０ｃｍ、好ましくは１５ｃｍ以上という比較的厚い土壌構造が必要である。
【０００９】
しかし、天然土壌を客土として、根の生育のために必要な厚さの層を形成すると、層全体が重くなり、その軽減のためにパーライトやバーミキュライトなどを多く含む軽量土壌を用いると、雨水などの水によって流出したり、風で飛散したりするという問題点がある。
【００１０】
そこで、この発明の課題は、上記した問題点を解決して、客土層を含めて人工の植物育成用土壌の層厚をできるだけ薄い構造とし、これによって軽量化を図り、しかも客土が流出しにくく、施工作業も簡単な芝育成用土壌構造とすることである。
【課題を解決するための手段】
【００１１】
上記の課題を解決するために、この発明においては、芝植生施工対象面に、透水性および保水性を有すると共に根が浸入可能な多孔体層を設け、この多孔体層上に客土層を設けてなる芝育成用土壌構造としたのである。
【００１２】
上記したように構成されるこの発明の芝育成用土壌構造は、透水性および保水性を有する多孔体層上に客土層を設けているので、多孔体は根の生育のための水分を保持でき、しかも過剰な水分を排出でき、客土層に植生された芝の根が、多孔体にまで進入して生育することができる。
【００１３】
そのため、多孔体層厚を含めた客土層との合計厚さが芝の根の生育長さ以上あれば良くなり、従来技術では、芝の根の充分な生育のために１０〜１５ｃｍという層厚が必要であったところ、客土層の厚さを、より薄く例えば３〜８ｃｍという薄い層にして土壌層全体の軽量化を図ることができる。
【００１４】
また、芝育成用土壌構造における多孔体層が、発泡樹脂製薄片の圧縮成形体からなる多孔体層であると、成形時に薄片が屈曲しながら圧縮されるなどしてランダムな三次元方向の空隙を有する多孔質構造になるから、そのような多孔質体には保水性のある空隙が多く形成される。芝の根はそのような三次元方向の空隙に沿ってよく成長する。
【００１５】
そして、このような芝育成用土壌構造は、客土層を好気性微生物の含有土壌とすることが好ましい。好気性微生物は、有機物などの栄養源を空気中の酸素で酸化して、生育または増殖する微生物であり、有機物を消費して客土の土壌粒間に空気流通性の隙間を形成し、さらに多孔質体の孔内に流入した有機物まで分解するため、多孔質体の孔内に客土からの有機物が溜まらず、孔の通気性や通水性が常に良好である。
【００１６】
このようにして好気性微生物は、客土から流れ出る有機物による多孔質材の目詰まりを防ぐため、従来の芝育成用土壌構造において必須であった目詰まり防止のため、または土壌流失防止のための繊維質層を設ける必要がなくなり、それだけ比較的簡単な構造（例えば二層構造）で保水性と透水性をバランスよく保って、芝の根腐れを起こしにくい芝育成用土壌構造になる。
【００１７】
また、客土層は、団粒化剤を含有する土壌であることが好ましい。なぜなら、客土が団粒化すると、水捌けがよくなり、好気性菌も繁殖しやすくなって芝の根に好ましいものになり、また多孔体層を通過して客土が流出したり、風で飛散することも少なくなるからである。前記した好気性微生物を用いることにより、団粒化を促進させることができるので、団粒化剤に代えて好気性微生物を用いてもよいが、両者併用して用いることがより好ましい手法である。
【００１８】
このような状態の土壌構造において、芝の生育に好ましい各層の厚さは、多孔体層が２〜１０ｃｍの層厚であり、客土層が３〜８ｃｍの層厚であり、かつ多孔体層と客土層の合計層厚が５〜１８ｃｍであり、好ましくは８〜１５ｃｍである。
【００１９】
上記所定範囲未満の各層の厚さ、またはそれらの合計の厚さでは、芝の根が充分に発育できず、上記所定範囲を超える層の厚さでは、芝の根の発育には充分であるが必要以上になって実用的ではなくなり、重量が増大するばかりで好ましくないからである。
【発明の効果】
【００２０】
この発明は、芝植生施工対象面に、透水性および保水性を有すると共に根が浸入可能な多孔体層を設け、この多孔体層上に客土層を設けた芝育成用土壌構造としたので、多孔体層にも根が浸入するから、これが土壌の代替にもなり、客土層を含めて人工の植物育成用土壌の層厚が可及的に薄い構造となり、土壌構造全体の軽量化を図ることができ、また客土は流出し難く、施工作業も簡単な芝育成用土壌構造となる利点がある。
【００２１】
客土を団粒化したものでは、水捌けがよくなり、流出したり、風で飛散する量も少なくなり、好気性菌も繁殖しやすくなって芝の根の成長に好ましい影響を与えると共に、多孔体層が目詰まりせず、通水性と保水性が確実に保たれるという利点もある。
【発明を実施するための最良の形態】
【００２２】
この発明の実施形態を以下に添付図面に基づいて説明する。
図１および図２に示すように、実施形態の芝育成用土壌構造は、ビルディングの屋上の芝植生施工対象面１に、防水・防根性のシート２を敷き、その上に透水性および保水性を有すると共に根が浸入可能な発泡樹脂製薄片の圧縮成形体からなる多孔体層３を設け、この多孔体層３上に客土層４を設けて芝５を育成する土壌構造である。
【００２３】
防水・防根性のシート２は、防水性と防根性とをそれぞれ別の機能として、複数のシートを重ねて構成してもよく、一枚のシートで防水と防根の両機能を持たせてもよい。このような性質を有する機能性シートは、園芸または建築材料として広く市販されている。
【００２４】
なお、防根シートは、植物の根が防水層に直接触れることを防ぐものであり、耐根シートとも称されるものである。防根シート（耐根シート）の種類としては、不透水性耐根シート（水も空気も通さないもの）、透水性耐根シート（化学的防根：化学物質で根の生育を止めるもの）、透水性耐根シート（物理的に防根するもの）が挙げられる。
【００２５】
図３に示すように、多孔体層３は、発泡スチロールなどの発泡樹脂製薄片６の圧縮成形体で形成することが好ましい。このものは、例えば厚さ約２ｍｍで２〜５ｃｍ角もしくは直径の発泡スチロール製の方形状片または円形片などを厚さ４〜６ｃｍ程度の板状に加熱しながら圧縮成形したものを採用することが好ましい。
【００２６】
このようにすると、薄片が折れ曲がった状態で、細長い空隙７が３次元方向にランダムに形成され、そのような空隙は保水性があると共に通気性もあり、芝の根が浸入しやすい形状と大きさの空隙になる。このような発泡樹脂製薄片の圧縮成形体は、三菱化学フォームプラスティック社が発泡ポリスチレン製排水材として市販しているチップドレンを使用することができる。このチップドレンの物性を列挙すると、発泡倍率３０〜７０倍、空孔容積の例約３０％、重量１４〜３０ｋｇ／ｍ3、熱伝導率約０．０３７〜０．０４４Ｗ／ｍ・Ｋ、透水係数０．６ｃｍ/ｓｅｃである。
【００２７】
客土は、真砂土などの天然土壌またはパーライトやバーミキュライトを含む人工土壌のいずれでもよいが、できるだけ軽量で保水性および透水性のあるものであればよく、特にその種類を限定して用いるものではない。また、種々の土壌改良剤を添加してもよく、その一種として団粒化剤や有用土壌微生物などが挙げられる。
【００２８】
図４に示すように、団粒化剤を配合した客土は、例えば土粒子と長い線状の有機高分子(団粒剤)がイオン結合することなどにより、土粒子８が二次粒子９を形成するものであり、これにより透水性および保水性が大幅に向上する。
【００２９】
土壌粒子の団粒化剤の例としては、堆肥や厩肥等の有機物、ポリアクリルアミド・ポリビニルアルコール等の合成高分子化合物、アルギン酸・酸化デンプン等の天然物由来の多糖類等を挙げることができる。このうち、団粒形成促進効果が公に認定されているものとしては、堆肥や厩肥類を除くと、ポリエチレンイミン系資材（ＥＢ−ａ、アクリル酸とメタクリル酸ジメチルアミノエチルの共重合物のマグネシウム塩とポリエチレンイミンとの複合体）とポリビニルアルコール系資材（エチレンと酢酸を原料として作られる酢酸ビニルを重合、けん化したもの）がある。
【００３０】
土壌に有用な好気性微生物は、特に限定された細菌のみを採用したものではなく、有機物や無機物などの栄養源を空気中の酸素で酸化して、生育、増殖する微生物であり、これには糸状菌などの好気性菌、カビ類、藻類なども含まれる。このような好気性微生物は、前記したように有機物を消費して客土の土壌粒間に空気流通性の隙間を形成し、さらに多孔質体の孔内に流入した有機物まで分解するものである。
【００３１】
そして、好気性微生物によって分解された有機物から形成された腐植質の線状有機高分子や糸状菌の菌糸などは、土粒子が自然乾燥するときに起こる表面密着性で形成された団子状の粒子を結着し、また糸状菌の菌糸などによって土壌粒子が団塊状（団子状）に二次粒子を形成し、いわゆる団粒土を形成する。このような団粒土には、有機質の栄養分が含まれていると共に、水捌けがよく、空気の流通性もよい故に植物の育成に好ましい土壌環境を提供するものである。
【００３２】
有用土壌微生物としては、特に好気性の微生物を含む有用土壌微生物であり、それらの複合有用微生物群を含む市販の土壌改良剤として、ＥＭ研究所製：ＥＭ１、ＥＭ２、ＥＭ３、岡部産業社製：バクタモンが挙げられる。
【００３３】
その他にも、軽量土壌改良剤としてセラミックス土壌改良剤（イソライト工業社製：イソライトＣＧ）等が挙げられる。
【００３４】
以上のような土壌改良剤を配合して用いる客土の組成例としては、団粒化剤を配合した真砂土、真砂土９５重量％にコーヒー豆粕（含有有用土中微生物）５重量％などが挙げられる。
【００３５】
図１および図２に示すように、上記の材料を敷設して建物の屋上に芝生を設ける具体例としては、先ず、芝植生施工対象面１をレンガ１１などで囲うと共に、防水・防根性のシート２を敷き、必要に応じて給水路や給水孔１０を形成し、その上に透水性および保水性を有すると共に根が浸入可能な発泡樹脂製薄片の圧縮成形体からなる多孔体層３を設け、この多孔体層３上に土壌改良剤を配合した客土層４を設けた芝育成用土壌構造とする。その際に、多孔体層が２〜１０ｃｍの層厚とし、客土層が３〜８ｃｍの層厚とし、かつ多孔体層と客土層の合計層厚が１０〜１８ｃｍとしておく。
【００３６】
このようにすると、多孔体層３が土壌の代替にもなるから、客土層４を含めて多孔体層３との合計の土壌の層厚が１０〜１８ｃｍと薄くなり軽量化を図ることができる。そして、客土の量は少なくなり、団粒化されているから雨水が流れ込んでも流出しにくく、また構造は比較的簡単であるから、短時間で施工作業の簡単な芝育成用土壌構造になる。
【図面の簡単な説明】
【００３７】
【図１】実施形態の芝育成用土壌の平面図
【図２】芝育成用土壌の要部拡大の断面図
【図３】多孔体層の拡大断面図
【図４】客土の団粒構造を示す説明図
【図５】従来の芝育成用土壌の断面図
【符号の説明】
【００３８】
１、１２  芝植生施工対象
２  防水・防根性シート
３  多孔体層
４、１４  客土層
５  芝
６  発泡樹脂製薄片
７  空隙
８  土粒子
９  二次粒子
１０  給水孔
１１  レンガ
１３  粒状物層
【図１】
2005143341.tif 000003
【図２】
2005143341.tif 000004
【図３】
2005143341.tif 000005
【図４】
2005143341.tif 000006
【図５】
2005143341.tif 000007